【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
インクを吐出するための吐出口が配列されてなる吐出口列を有する記録ヘッドを前記吐出口の配列方向とは交差する方向へ記録媒体に対して走査させながら、前記吐出口列の各吐出口について予め定められた記録許容率に基づいてインクを吐出することにより、前記記録媒体に画像を記録するインクジェット記録装置において、
前記吐出口列における両端部吐出口の記録許容率が、前記吐出口列における中央部吐出口の記録許容率よりも大であることを特徴とするインクジェット記録装置。
【請求項２】
インクを吐出するための吐出口が配列されてなる吐出口列を複数備えた記録ヘッドを記録媒体に対し走査させることにより、前記記録媒体に画像を記録するインクジェット記録装置において、
個々の吐出口の記録許容率が定められたマスクパターンに従った画像記録を各走査で行うことで、前記記録媒体の同一領域に記録すべき画像を複数回の走査で完成させる手段を具備し、
前記マスクパターンは、前記複数の吐出口列のうちの少なくとも１つの吐出口列における両端部吐出口の記録許容率が当該両端部吐出口とは異なる他の吐出口の記録許容率よりも高くなるように構成されていることを特徴とするインクジェット記録装置。
【請求項３】
前記複数の吐出口列は、異なる種類のインクを吐出するための吐出口列を含み、
前記マスクパターンは、前記複数の吐出口列ごとに用意されていることを特徴とする請求項２に記載のインクジェット記録装置。
【請求項４】
前記複数の吐出口列は、異なる量のインクを吐出するための吐出口列を含み、
前記マスクパターンは、前記複数の吐出口列ごとに用意されていることを特徴とする請求項２に記載のインクジェット記録装置。
【請求項５】
前記マスクパターンは、前記複数の吐出口列のうちの少なくとも１つの吐出口列における両端部吐出口の記録許容率が当該両端部吐出口とは異なる他の吐出口の記録許容率よりも低くなるように構成されていることを特徴とする請求項２乃至４のいずれかに記載のインクジェット記録装置。
【請求項６】
インクを吐出するための吐出口が配列されてなる第１、第２の吐出口列を有する記録ヘッドを前記吐出口の配列方向とは交差する方向へ記録媒体に対して走査させながら、前記第１、第２の吐出口列の各吐出口について予め定められた記録許容率に基づいてインクを吐出することにより、前記記録媒体に画像を記録するインクジェット記録装置において、
前記第１の吐出口列における両端部吐出口の記録許容率は前記第１の吐出口列における中央部吐出口の記録許容率よりも大であり、
前記第２の吐出口列における両端部吐出口の記録許容率は前記第２の吐出口列における中央部吐出口の記録許容率よりも小であることを特徴とするインクジェット記録装置。
【請求項７】
インクを吐出するための吐出口が配列されてなる吐出口列を有する記録ヘッドを前記吐出口の配列方向とは交差する方向へ記録媒体に対して走査させながら、前記吐出口列の各吐出口について予め定められた記録許容率に基づいてインクを吐出することにより、前記記録媒体に画像を記録するインクジェット記録方法において、
前記吐出口列における両端部吐出口の記録許容率が、前記吐出口列における中央部吐出口の記録許容率よりも大であることを特徴とするインクジェット記録方法。
【請求項８】
インクを吐出するための吐出口が配列されてなる第１、第２の吐出口列を有する記録ヘッドを前記吐出口の配列方向とは交差する方向へ記録媒体に対して走査させながら、前記第１、第２の吐出口列の各吐出について予め定められた記録許容率に基づいてインクを吐出することにより、前記記録媒体に画像を記録するインクジェット記録方法において、
前記第１の吐出口列における両端部吐出口の記録許容率は前記第１の吐出口列における中央部吐出口の記録許容率よりも大であり、
前記第２の吐出口列における両端部吐出口の記録許容率は前記第２の吐出口列における中央部吐出口の記録許容率よりも小であることを特徴とするインクジェット記録方法。
【請求項９】
インクを吐出するための吐出口が配列されてなる吐出口列を複数備えた記録ヘッドを記録媒体に対し走査させることにより、前記記録媒体に画像を記録するインクジェット記録方法において、
個々の吐出口の記録許容率が定められたマスクパターンに従った画像記録を各走査で行うことで、前記記録媒体の同一領域に記録すべき画像を複数回の走査で完成させる工程を有し、
前記マスクパターンは、前記複数の吐出口列のうちの少なくとも１列の吐出口列における両端部吐出口の記録許容率が当該両端部吐出口とは異なる他の吐出口の記録許容率よりも高くなるように構成されることを特徴とするインクジェット記録方法。
【手続補正２】
【補正対象書類名】明細書
【補正対象項目名】００２８
【補正方法】変更
【補正の内容】
【００２８】
そのために本発明においては、インクを吐出するための吐出口が配列されてなる吐出口列を有する記録ヘッドを前記吐出口の配列方向とは交差する方向へ記録媒体に対して走査させながら、前記吐出口列の各吐出口について予め定められた記録許容率に基づいてインクを吐出することにより、前記記録媒体に画像を記録するインクジェット記録装置において、前記吐出口列における両端部吐出口の記録許容率が、前記吐出口列における中央部吐出口の記録許容率よりも大であることを特徴とする。
【手続補正３】
【補正対象書類名】明細書
【補正対象項目名】００２９
【補正方法】変更
【補正の内容】
【００２９】
また、インクを吐出するための吐出口が配列されてなる吐出口列を複数備えた記録ヘッドを記録媒体に対し走査させることにより、前記記録媒体に画像を記録するインクジェット記録装置において、個々の吐出口の記録許容率が定められたマスクパターンに従った画像記録を各走査で行うことで、前記記録媒体の同一領域に記録すべき画像を複数回の走査で完成させる手段を具備し、前記マスクパターンは、前記複数の吐出口列のうちの少なくとも１つの吐出口列における両端部吐出口の記録許容率が当該両端部吐出口とは異なる他の吐出口の記録許容率よりも高くなるように構成されていることを特徴とする。
【手続補正４】
【補正対象書類名】明細書
【補正対象項目名】００３０
【補正方法】変更
【補正の内容】
【００３０】
また、インクを吐出するための吐出口が配列されてなる第１、第２の吐出口列を有する記録ヘッドを前記吐出口の配列方向とは交差する方向へ記録媒体に対して走査させながら、前記第１、第２の吐出口列の各吐出口について予め定められた記録許容率に基づいてインクを吐出することにより、前記記録媒体に画像を記録するインクジェット記録装置において、前記第１の吐出口列における両端部吐出口の記録許容率は前記第１の吐出口列における中央部吐出口の記録許容率よりも大であり、前記第２の吐出口列における両端部吐出口の記録許容率は前記第２の吐出口列における中央部吐出口の記録許容率よりも小であることを特徴とする。
【手続補正５】
【補正対象書類名】明細書
【補正対象項目名】００３１
【補正方法】変更
【補正の内容】
【００３１】
また、インクを吐出するための吐出口が配列されてなる吐出口列を有する記録ヘッドを前記吐出口の配列方向とは交差する方向へ記録媒体に対して走査させながら、前記吐出口列の各吐出口について予め定められた記録許容率に基づいてインクを吐出することにより、前記記録媒体に画像を記録するインクジェット記録方法において、前記吐出口列における両端部吐出口の記録許容率が、前記吐出口列における中央部吐出口の記録許容率よりも大であることを特徴とする。
さらに、インクを吐出するための吐出口が配列されてなる第１、第２の吐出口列を有する記録ヘッドを前記吐出口の配列方向とは交差する方向へ記録媒体に対して走査させながら、前記第１、第２の吐出口列の各吐出について予め定められた記録許容率に基づいてインクを吐出することにより、前記記録媒体に画像を記録するインクジェット記録方法において、前記第１の吐出口列における両端部吐出口の記録許容率は前記第１の吐出口列における中央部吐出口の記録許容率よりも大であり、前記第２の吐出口列における両端部吐出口の記録許容率は前記第２の吐出口列における中央部吐出口の記録許容率よりも小であることを特徴とする。
さらにまた、インクを吐出するための吐出口が配列されてなる吐出口列を複数備えた記録ヘッドを記録媒体に対し走査させることにより、前記記録媒体に画像を記録するインクジェット記録方法において、個々の吐出口の記録許容率が定められたマスクパターンに従った画像記録を各走査で行うことで、前記記録媒体の同一領域に記録すべき画像を複数回の走査で完成させる工程を有し、前記マスクパターンは、前記複数の吐出口列のうちの少なくとも１列の吐出口列における両端部吐出口の記録許容率が当該両端部吐出口とは異なる他の吐出口の記録許容率よりも高くなるように構成されることを特徴とする。